(57)【要約】【課題】  電池残量が低下した場合に、電話機能の動作時間を長くしつつ、ユーザを混乱させないで電話機能以外の機能を停止させる移動体通信端末装置を提供する。【解決手段】  テレビ受信機能を実現するテレビ受信部１０９と、無線電話機能を実現する無線電話部１０７と、各種情報を表示する表示部１０８と、端末装置全体に電力を供給する電池１０３と、上記表示部１０８の輝度を変える端末制御部１０１とを備える。端末制御部１０１は、上記電池１０３の残量に応じて上記表示部１０８の輝度を変えて、電池残量の低下を報知する。【選択図】  図１ 
2005079923.tif 000002
【特許請求の範囲】
【請求項１】
複数の機能を有すると共に、各種情報を表示する表示部を備えた移動体通信端末装置において、
端末装置全体に電力を供給する電池と、
上記電池の残量に応じて上記表示部の輝度を変えて、電池残量の低下を報知する電池残量報知手段とを備えていることを特徴とする移動体通信端末装置。
【請求項２】
上記電池残量報知手段は、少なくとも、表示部を表示させないで通信可能な状態を維持できない電池残量になる前に、電池残量の低下を報知することを特徴とする請求項１に記載の移動体通信端末装置。
【請求項３】
上記電池残量報知手段は、表示部を表示させないで通信可能な状態を維持できない電池残量になる前に、段階的に電池残量の低下を報知することを特徴とする請求項１に記載の移動体通信端末装置。
【請求項４】
さらに、上記電池残量が所定値を下回った場合に、上記表示部の表示動作を停止させる表示部制御手段が設けられていることを特徴とする請求項１に記載の移動体通信端末装置。
【請求項５】
テレビ受信機能と無線電話機能を有すると共に、各種情報を表示する表示部を備えた移動体通信端末装置において、
端末装置全体に電力を供給する電池と、
上記電池の残量に応じて上記表示部の輝度を変えて、電池残量の低下を報知する電池残量報知手段とを備えていることを特徴とする移動体通信端末装置。
【請求項６】
上記電池残量報知手段は、上記電池の残量に応じて、段階的に上記表示部の輝度を変えることで、電池残量の低下を報知することを特徴とする請求項５に記載の移動体通信端末装置。
【請求項７】
さらに、上記電池残量が所定値を下回った場合に、上記表示部の表示動作を停止させる表示部制御手段が設けられていることを特徴とする請求項５または６に記載の移動体通信端末装置。
【請求項８】
外部から入力される制御信号に基づいて、上記電池残量報知手段による電池残量報知機能の駆動／停止を制御する駆動／停止制御手段が設けられていることを特徴とする請求項５ないし７の何れか１項に記載の移動体通信端末装置。
【請求項９】
複数の機能を有すると共に、各種情報を表示する表示部を備えた移動体通信端末装置の電池残量報知方法において、
端末装置全体に電力を供給する電池の残量に応じて上記表示部の輝度を変えて、電池残量の低下を報知することを特徴とする移動体通信端末装置の電池残量報知方法。
【発明の詳細な説明】
【技術分野】
【０００１】
本発明は、消費電力の異なる複数の機能を有する移動体通信端末装置に関し、特に、テレビ受信機能を備えたＰＨＳや携帯電話のような音声通信機能（無線電話機能）を持つ移動体通信端末装置及び電池残量報知方法に関するものである。
【背景技術】
【０００２】
従来の電話機能付き移動体通信端末装置は、図３のような構成とするのが一般的であった。以下にその構成、動作について説明する。
【０００３】
移動体通信端末装置は、図３に示すように、端末装置全体の制御を行う端末制御部２０１、端末装置の動作電力を供給する電源制御部２０２、電池２０３および該電池２０３の残量を監視する電池残量監視部２０５、無線での電話機能を可能にする無線電話部２０７、ユーザがデータを入力するためのデータ端末部２０６、外部から携帯電話に電力を供給する外部電源入力２０４、ユーザに対して情報を表示する表示部２０８を備えた構成となっている。各ブロックには、外部電源入力２０４および電池２０３から電力が供給される。
【０００４】
また、近年、数百Kbpsのデータ通信が可能な移動体通信端末装置が登場したことにより、動画の送受信が可能な移動体通信端末装置が市場に登場し始めた。さらに、この技術の応用として、電話機能に加えてテレビ受信機能を備えた移動体通信端末装置も提案されている。このようなテレビ受信機能を備えた移動体通信端末は、例えば、本発明の説明図である図１に示すような構成が考えられる。
【０００５】
ところで、従来の移動体通信端末装置では、電池残量の監視を電池残量監視部２０５が行っている。例えば、電池残量監視部２０５は、電池２０３の電圧を測定することや電源制御部２０２から出力される電力と経過した時間により演算する等の方法を用いることにより電池残量を監視している。そして、電池の残量が低下し、電源制御部２０２で装置全体を操作するために必要な電力を供給できなくなった場合には、端末制御部２０１は端末装置全体の動作を終了させる。これは、テレビ受信機能を備えた移動体通信端末装置においても同じである。
【０００６】
しかしながら、従来の移動体通信端末装置は、端末装置全体を一つの系統の電源として管理されているので、常に端末装置全体が電力を消費し続けるため、電池残量が無くなれば、全ての機能が一度に使用できなくなるという問題が生じる。
【０００７】
そこで、特許文献１には、端末装置全体のなかで消費電力の少ない電話機能と、その他の機能とで電源を別系統に分けて管理することにより、少なくとも電話機能だけを長時間動作させる技術が開示されている。
【特許文献１】特開平１１−１８４５７６号公報（公開日：１９９９年７月９日）
【発明の開示】
【発明が解決しようとする課題】
【０００８】
ところが、特許文献１では、電池残量が予め定めた値よりも少なくなると、電話機能以外の機能を構成するブロックに対する電力の供給を停止させて、電話機能の延命化を図っているので、例えば、ユーザが電話機能以外の機能を利用していれば、利用中の機能が突然停止し、電池が無くなって停止したのか、故障で停止したのか分からないため、ユーザは混乱する。
【０００９】
特に、ユーザが電話機能以外の機能として、テレビ受信機能を利用し、テレビ映像を視聴しているときに、突然テレビ映像が消えれば、ユーザの混乱は大きくなる。
【００１０】
本発明は、上記の問題点に鑑みなされたものであって、その目的は、電池残量が低下した場合に、電話機能の動作時間を長くしつつ、ユーザを混乱させないで電話機能以外の機能を停止させる移動体通信端末装置及び電池残量報知方法を提供することにある。
【課題を解決するための手段】
【００１１】
本発明の移動体通信端末装置は、上記の課題を解決するために、複数の機能を有すると共に、各種情報を表示する表示部を備えた移動体通信端末装置において、端末装置全体に電力を供給する電池と、上記電池の残量に応じて上記表示部の輝度を変えて、電池残量の低下を報知する電池残量報知手段とを備えていることを特徴としている。
【００１２】
上記電池残量報知手段は、少なくとも、表示部を表示させないで通信可能な状態を維持できない電池残量になる前に、電池残量の低下を報知するようにしてもよい。
【００１３】
上記電池残量報知手段は、表示部を表示させないで通信可能な状態を維持できない電池残量になる前に、段階的に電池残量の低下を報知するようにしてもよい。
【００１４】
さらに、上記電池残量が所定値を下回った場合に、上記表示部の表示動作を停止させる表示部制御手段を設けてもよい。
【００１５】
また、本発明の移動体通信端末装置は、上記の課題を解決するために、テレビ受信機能と無線電話機能を有すると共に、各種情報を表示する表示部を備えた移動体通信端末装置において、端末装置全体に電力を供給する電池と、上記電池の残量に応じて上記表示部の輝度を変えて、電池残量の低下を報知する電池残量報知手段とを備えていることを特徴としている。
【００１６】
上記電池残量報知手段は、上記電池の残量に応じて、段階的に上記表示部の輝度を変えることで、電池残量の低下を報知するようにしてもよい。
【００１７】
さらに、上記電池残量が所定値を下回った場合に、上記表示部の表示動作を停止させる表示部制御手段が設けられていてもよい。
【００１８】
また、外部から入力される制御信号に基づいて、上記電池残量報知手段による電池残量報知機能の駆動／停止を制御する駆動／停止制御手段を設けてもよい。
【発明の効果】
【００１９】
本発明の移動体通信端末装置は、端末装置全体に電力を供給する電池の残量に応じて表示部の輝度を変えて、電池残量の低下を報知する電池残量報知手段を備えている。
【００２０】
それゆえ、表示部の輝度を変えることで電池残量の低下を報知するようになっているので、表示部を見ているユーザに対して、電池残量が低下したことを確実に知らせることができる。つまり、ユーザ自身が電池残量を確実に把握することができるので、ユーザは混乱することはない。そして、この時点で、ユーザが表示部への情報の表示を停止するようにすれば、電池残量をより長く維持することができるという効果を奏する。
【００２１】
上記電池残量報知手段は、少なくとも、表示部を表示させないで通信可能な状態を維持できない電池残量になる前に、電池残量の低下を報知するので、電池残量が低下しても、移動体通信端末装置の基本機能の一つである表示部を表示しない通信機能を利用可能な状態で確実に維持することができるという効果を奏する。
【００２２】
上記電池残量報知手段は、表示部を表示させないで通信可能な状態を維持できない電池残量になる前に、段階的に電池残量の低下を報知するので、電池残量が表示部を表示させないで通信可能な状態を維持できない電池残量になるまでに、段階的に電池残量の低下が報知されれば、ユーザは電池残量が低下していることを段階的に知ることができ、この結果、電池残量の低下を確実に把握することができるという効果を奏する。
【００２３】
さらに、上記電池残量が所定値を下回った場合に、上記表示部の表示動作を停止させる表示部制御手段を設けているので、電池残量が所定値を下回った場合に、表示部の表示動作を停止させることで、端末装置において最低限必要な機能が利用できる期間を確実に延ばすことができるという効果を奏する。
【００２４】
ここで、所定値とは、端末装置において最低限必要な機能を実現できる電池残量よりもわずかに多い電池残量を示す。
【００２５】
本発明の移動体通信端末装置は、テレビ受信機能と無線電話機能を有する移動体通信端末装置全体に電力を供給する電池の残量に応じて上記表示部の輝度を変えて、電池残量の低下を報知する電池残量報知手段を備えている。
【００２６】
それゆえ、表示部の輝度を変えることで電池残量の低下を報知するようになっているので、表示部を見ているユーザに対して、電池残量が低下したことを確実に知らせることができる。つまり、ユーザ自身が電池残量を確実に把握することができるので、ユーザは混乱することはない。
【００２７】
従って、テレビ受信機能を利用してユーザがテレビ受信部で提供されるサービスに没頭してしまっても、テレビ映像を表示している表示部の輝度を変化させるので、電池残量の低下に気付かないという問題がなくなるという効果を奏する。
【００２８】
上記電池残量報知手段は、上記電池の残量に応じて、段階的に上記表示部の輝度を変えることで、電池残量の低下を報知するので、表示部に表示されたテレビ映像に没頭しているユーザに対して、電池の残量を段階的に把握させることが可能となる。これにより、ユーザは、表示部の輝度によって、どれくらいの時間、テレビ映像を観ることができるのかを正確に知ることができるという効果を奏する。
【００２９】
さらに、上記電池残量が所定値を下回った場合に、上記表示部の表示動作を停止させる表示部制御手段が設けられているので電池残量が所定値を下回った場合に、表示部の表示動作を停止させることで、端末装置において電話機能が利用できる期間を確実に延ばすことができるという効果を奏する。
【００３０】
ここで、所定値とは、端末装置において電話機能を実現できる最低限の電池残量よりもわずかに多い電池残量を示す。
【００３１】
また、外部から入力される制御信号に基づいて、上記電池残量報知手段による電池残量報知機能の駆動／停止を制御する駆動／停止制御手段を設けているので、例えば、移動体通信端末装置を操作するユーザが上記の制御信号を入力し、電池残量報知機能の駆動／停止を制御することも可能となる。
【００３２】
これにより、ユーザの意志によって、電池残量報知手段の電池残量報知機能の駆動／停止を決めることができるという効果を奏する。
【発明を実施するための最良の形態】
【００３３】
本発明の実施の一形態について説明すれば、以下の通りである。なお、本実施の形態では、移動体通信端末装置として、無線電話機能に加えてテレビ受信機能を備えた携帯端末装置を例に説明する。
【００３４】
本実施の形態にかかる携帯端末装置は、図１に示すように、端末装置の各種制御を行うための、端末制御部１０１及び電源制御部１０２と、端末装置に電力を供給するための、電池１０３及び外部電源入力部１０４と、電池１０３の残量を監視する電池残量監視部１０５と、端末装置の各種機能を実現するための、データ端末部１０６、無線電話部１０７、表示部１０８及びテレビ受信部１０９とを含んだ構成となっている。
【００３５】
上記端末制御部１０１は、電源制御部１０２、無線電話部１０７、表示部１０８、テレビ受信部１０９の動作を制御する制御手段であり、外部電源入力部１０４から電力が供給されることによって各部の動作を制御している。
【００３６】
上記電源制御部１０２は、上記端末制御部１０１の制御によって、電池１０３から取り出した電力を、各ブロックへ供給するようになっている。ここで、ブロックとは、移動体通信端末装置を構成する構成要素、例えば、上記の端末制御部１０１、電池残量監視部１０５、データ端末部１０６、無線電話部１０７、表示部１０８、テレビ受信部１０９を示す。
【００３７】
また、上記電源制御部１０２は、上記端末制御部１０１からの制御によって、各ブロックへの電力の供給を制御するようになっているので、各ブロックの駆動／停止、すなわちＯＮ／ＯＦＦ制御が可能となっている。
【００３８】
上記電池１０３は、充電式の電池であり、必要に応じて外部電源入力部１０４から電力が供給され充電されるようになっている。つまり、外部電源入力部１０４は、電池１０３の充電機能を有している。そして、この電池１０３の電池残量は、上記電池残量監視部１０５によって監視されている。
【００３９】
上記電池残量監視部１０５は、電池１０３の残量を監視するものであって、電池１０３の電圧を測定する方法、あるいは電源制御部１０２から出力される電力と経過時間とにより演算する方法等を用いることにより、電池残量を監視している。
【００４０】
上記電池残量監視部１０５は、電池１０３の電池残量を常に監視し、電池残量が予め定めた値になったとき、端末制御部１０１にその旨を知らせる信号を送信するようになっている。上記の値は、段階的に設定されており、電池残量監視部１０５は、電池１０３の電池残量を段階的に端末制御部１０１に知らせるようになっている。
【００４１】
上記端末制御部１０１は、電池残量監視部１０５から段階的に送られた電池１０３の電池残量情報に基づいて表示部１０８に送る制御信号を生成する。この制御信号は、表示部１０８の輝度を調整するのに使用される。この表示部１０８の輝度調整の詳細は後述する。
【００４２】
上記携帯端末装置の各種機能を実現するための、データ端末部１０６、無線電話部１０７、表示部１０８及びテレビ受信部１０９について説明する。
【００４３】
上記データ端末部１０６は、ユーザから携帯端末装置にデータを入力するためのインターフェースとして機能すると共に、電話機能、テレビ受信機能以外の機能、例えばＰＩＭ（personal information manager）機能等を実現するところである。
【００４４】
また、上記無線電話部１０７は、電話機能を実現するところであり、上記テレビ受信部１０９は、テレビ受信機能を実現するところである。
【００４５】
上記表示部１０８は、携帯端末装置の各種機能を実現するうえで必要な情報を表示するところである。この表示部１０８は、電話機能を利用する場合、通話先の電話番号を表示したり、テレビ受信機能を利用する場合、テレビ映像を表示したりするのに使用される。
【００４６】
つまり、上記端末制御部１０１は、外部電源入力部１０４から電力が供給されると、電源制御部１０２及び無線電話部１０７を制御することにより電話機能を実現し、また、データ端末部１０６を制御することによりユーザの入力した事項を端末側に実現させ、さらに、テレビ受信部１０９を制御することによって外部から送られて来る送信波を受信し、デコードすることによってテレビ映像を表示部１０８に表示させてユーザに対して視聴可能にしている。
【００４７】
また、上記表示部１０８は、例えば液晶ディスプレイパネル等の輝度調整が可能な表示パネルからなっており、必要に応じて輝度が調整される。輝度の調整は、端末装置のユーザインターフェース（図示せず）を介してユーザ自身で行うことができる他、端末制御部１０１からの制御信号に応じて行うことができる。
【００４８】
例えば、表示部１０８に送られる端末制御部１０１からの制御信号は、電池１０３の電池残量を示しているので、表示部１０８は、電池残量に応じて輝度を変化させるように調整すればよい。例えば、表示部１０８が液晶ディスプレイパネルの場合には、バックライトの輝度を変えることで、該表示部１０８の輝度を変化させるようにすればよい。
【００４９】
具体的には、端末制御部１０１は、電池１０３の残量が十分にあるときの表示部１０８の輝度をＢ０とし、残量に応じて、輝度をＢ１、Ｂ２、…とする。ここでは、Ｂ０＞Ｂ１＞Ｂ２＞…の関係とする。すなわち電池残量が減るにしたがって表示部１０８の輝度を低下するように調整している。なお、表示部１０８の輝度は、電池残量の低下にしたがって低下させるように調整するのではなく、逆に、上昇させるように調整してもよい。
【００５０】
なお、端末制御部１０１は、電池残量が所定値を越えれば、表示部１０８の表示動作を停止するように制御する。ここでの所定値は、無線電話部１０７による電話機能が使える最低限の電池残量とする。なお、この値は任意に設定可能であり、もう少し余裕を持たせて、無線電話部１０７による電話機能が使える最低限の電池残量よりも多い段階の電池残量としてもよい。
【００５１】
また、端末制御部１０１による表示部１０８の輝度調整は、上述した電池残量が所定値になるまでに段階的に行うのが好ましい。これは、電池残量が所定値になったときに、突然表示部１０８の表示動作が停止すれば、携帯端末装置のテレビ受信機能を利用して表示部１０８でテレビ映像を視聴しているユーザは不快な思いをする可能性が大きいからである。
【００５２】
以上のように、本実施の形態では、上記表示部１０８の輝度を変えることで、電池１０３の残量をユーザに報知する報知手段として機能させている。特に、テレビ受信機能を利用してテレビ映像に没頭しているユーザに対して、表示部１０８の輝度を電池残量に応じて変化させることは、非常に有効である。
【００５３】
従って、本実施の形態においては、端末制御部１０１は、電池残量監視部１０５及び表示部１０８と共に、電池の残量に応じて上記表示部の輝度を変えて、電池残量の低下を報知する電池残量報知手段とて機能している。また、端末制御部１０１は、電池残量が所定値を下回った場合に、表示部１０８の表示動作を停止させる表示部制御手段としての機能している。
【００５４】
ここで、上記構成の携帯端末装置における電池残量の報知制御の流れについて図２に示すフローチャートを参照しながら以下に説明する。
【００５５】
まず、テレビ受信部１０９がデコードした情報は、表示部１０８に表示される。このとき、電池１０３の残量、すなわち電池残量が十分にあるときは、表示部１０８は輝度Ｂ０で表示される。この状態を初期状態とする（ステップＳ１）。
【００５６】
ここで、電池残量監視部１０５は、電池１０３の監視方法として、該電池１０３の電圧を測定する方法を採用するものとする。
【００５７】
次に、電池残量監視部１０５によって、電池残量を示す電池１０３の電圧が予め設定したＶ１を下回ったか否かが監視される（ステップＳ２）。ここで、電池１０３の電圧がＶ１を下回った場合、電池残量監視部１０５からその旨の信号が端末制御部１０１に送られる。
【００５８】
端末制御部１０１は、電池残量監視部１０５から送られた信号に基づいて、表示部１０８の輝度をＢ１に調整する（ステップＳ３）。ここで、輝度Ｂ１は、初期状態の輝度Ｂ０よりも小さい値とする。これにより、電池残量が所定値（電池１０３の電圧がＶ１）になったときに、表示部１０８の輝度が初期状態よりも低下させ、該表示部１０８を視聴しているユーザに電池残量の低下を報知する。
【００５９】
続いて、電池残量監視部１０５によって、電池残量を示す電池１０３の電圧が測定され、予め設定したＶ２（Ｖ１＞Ｖ２）を下回ったか否かが監視される（ステップＳ４）。ここで、電池１０３の電圧がＶ２を下回った場合、電池残量監視部１０５からその旨の信号が端末制御部１０１に送られる。
【００６０】
端末制御部１０１は、電池残量監視部１０５から送られた信号に基づいて、表示部１０８の輝度をＢ２に調整する（ステップＳ５）。ここで、輝度Ｂ２は、ステップＳ３で設定した輝度Ｂ１よりも小さい値とする。これにより、電池残量が所定値（電池１０３の電圧がＶ２）になったときに、表示部１０８の輝度が前段階の輝度Ｂ１よりも低下させ、該表示部１０８を視聴しているユーザに電池残量がさらに低下したことを報知する。
【００６１】
さらに、電池残量監視部１０５によって、電池残量を示す電池１０３の電圧が測定され、予め設定したＶ３（Ｖ２＞Ｖ３）を下回ったか否かが監視される（ステップＳ６）。ここで、Ｖ３は、無線電話部１０７による必要最低限の電力を確保するのに必要な電池１０３の電圧よりもわずかに高い電圧を示す。そして、電池１０３の電圧がＶ３を下回った場合、電池残量監視部１０５からその旨の信号が端末制御部１０１に送られる。
【００６２】
端末制御部１０１は、電池残量監視部１０５から送られた信号に基づいて、テレビ受信部１０９の機能を停止させる（ステップＳ７）。つまり、端末制御部１０１は、テレビ受信部１０９に動作終了のシーケンスを実行させると共に、電源制御部１０２に対してテレビ受信部１０９への電力の供給を停止するように制御する。
【００６３】
なお、端末制御部１０１は、電池１０３に対して、外部電源入力部１０４から新たに電力が供給され、電池残量が予め定められた上記の値（電池１０３の電圧がＶ１、Ｖ２、Ｖ３）を上回った場合には、それぞれの段階に応じた輝度で表示部１０８を表示させ、テレビ受信部１０９を動作可能にさせる。
【００６４】
以上の輝度調整機能、すなわち電池残量報知処理は、外部から入力される制御信号によって設定／解除することができるものとする。具体的には、ユーザがデータ端末部１０６により端末制御手段１０１に対して指示を入力することによって設定/解除できるものとする。すなわち、データ端末部１０６により端末制御手段１０１に対して輝度調整機能の設定が支持された場合のみ、上記の機能を実現させる。データ端末部１０６により端末制御手段１０１に対して輝度調整機能の解除が指示された場合、端末制御部１０１は電池残量監視手段１０５によって監視されている電池１０３の電池残量が上記の予め設定された値（Ｖ１、Ｖ２、Ｖ３）になっても輝度調整を行わず、電池の残量が低下し、電源制御部１０２で装置全体を操作するために必要な電力を供給できなくなった場合には、端末制御部１０１は端末装置全体の動作を終了させる。また、外部電源入力部１０４より電力が供給されている間は、電池１０３の電池残量が低下することはないとして、輝度調整機能を自動的に解除するものとする。
【００６５】
以上のように、このテレビ受信機能を有する携帯端末装置は、ユーザが設定を行うことにより、電池１０３の電池残量が減少してくると消費電力の大きいテレビ受信部１０９を停止させ、無線電話部１０７のみを動作させることが可能であるので、基本機能である電話機能の動作寿命を、テレビ受信部１０９を含めて全体を動作させている場合と比較して長くすることが可能である。
【００６６】
また、電池残量に応じて、表示部１０８の輝度が段階的に調整されるので、表示部１０８に表示されている情報、例えばテレビ映像を視聴し、没頭しているユーザに対して電池残量の低下を確実に知らせることができる。
【００６７】
このように、本実施の形態にかかる携帯端末装置では、電池残量が少なくなった場合にはテレビ受信部１０９の機能を停止させることにより電話としての動作時間を長く持続させることができるという効果を得ることができる。さらに、電池残量の低下を、表示部１０８に表示されているテレビ映像を見ているユーザに対して確実に知らせることができるので、ユーザ自身が電池残量を把握することでき、この結果、ユーザが混乱することはない。
【００６８】
本発明の移動体通信端末装置は、以下のような構成であってもよい。
【００６９】
すなわち、本発明の移動体通信端末装置は、テレビ受信機能と無線電話機能を有する移動体通信端末装置において、端末全体の動作を制御する端末制御手段（端末制御部１０１）と、端末の電気回路に電力を供給する電池（電池１０３）と、前記電池（電池１０３）の残量を監視する電池残量監視手段（電池残量監視部１０５）と、前記電池（電池１０３）より電力を取り出し複数の系統に分けたそれぞれでＯＮ／ＯＦＦの制御が可能である端末内部の各ブロックに電力を供給する電源制御手段（電源制御部１０２）と、前記端末制御手段（端末制御部１０１）によりユーザへの情報を表示するＬＣＤ(Liquid Crystal Display)やバックライトから構成される表示部（表示部１０８）と、前記端末制御手段（端末制御部１０１）の制御により無線電話機能を実現する無線電話部（無線電話部１０７）と、前記端末制御手段（端末制御部１０１）の制御によりテレビ受信を可能とするテレビ受信部（テレビ受信部１０９）と、前記端末制御手段（端末制御部１０１）の指示で前記無線電話部（無線電話部１０７）やテレビ受信部（テレビ受信部１０９）を通してデータをやり取りするデータ端末部（データ端末部１０６）で構成され、前記電池残量監視手段（電池残量監視部１０５）を用いて検出される電池残量に応じて段階的にユーザに対し告知を行うことを特徴としている。
【００７０】
また、前記告知の手段として電池残量に応じてバックライトの輝度を変化させるようにしてもよい。
【００７１】
さらに、前記告知の手段のＯＮ／ＯＦＦをユーザがデータ端末１０６により端末制御手段１０１に指示を入力することで設定できるようにしてもよい。
【００７２】
以上のように、本発明では、電池残量監視手段（電池残量監視部１０５）を用いて検出される電池残量に応じて数段階に及ぶ告知を行う。さらに電池残量が予め定められた値を下回った場合はテレビ受信部に対する電力提供を停止し、電話機能だけは長時間動作させることを可能にさせる。
【００７３】
つまり、本発明では、テレビ機能付き移動体通信端末において、電池残量によって数段階のユーザに対する告知を行う。また、電池残量が予め定められた値よりも小さくなった際にはテレビ受信部の動作を停止させる。このことによってテレビ視聴に没頭してしまい、必要な電話を受けられなくなってしまうという事態を避けることができるようになる。なお、上記の機能はユーザがＯＮ／ＯＦＦの設定を行うことができるようになっている。
【００７４】
一般に、テレビ受信部で消費される電力は無線電話部と比較すると大きいため、長時間使用すると無線電話部に供給する電力までも消費してしまう。しかしながらテレビ受信部で提供されるサービスにユーザが没頭してしまい、上記のことに気が付かないことが考えられる。本発明は、このような問題点に留意し、電池残量が低下しても電話機能の動作時間を長くできる移動体通信端末装置を提供している。
【００７５】
具体的には、本発明では、電池残量監視手段を用いて検出される電池残量に応じて数段階に及ぶ告知を行う。さらに電池残量が予め定められた値を下回った場合はテレビ受信部に対する電力提供を停止し、電話機能だけは長時間動作させることを可能にさせている。
【００７６】
なお、本実施の形態では、電話機能とテレビ受信機能とを有する携帯端末装置について説明したが、これに限定されるものではなく、消費電力が異なる機能同士においても適用可能である。例えば、電池残量が低下した場合に、表示部の輝度を変化させると共に、他の機能よりも消費電力が多い機能を停止させるようにすることで、消費電力の少ない機能をより長い期間利用できるようにすることが可能となる。
【００７７】
本実施の形態では、電池残量を報知する方法として、表示部に用いられているバックライトの輝度を変化させる方法を例示したが、本発明は、これに限定されるものではなく、表示部の輝度を変化させる方法であれば、どのような方法にも適用可能である。
【産業上の利用可能性】
【００７８】
本発明の移動体通信端末装置は、携帯電話にテレビ受信機能を追加したものに好適に用いられるが、これ以外に、ＰＤＡ（Personal Digital Assistants)に電話機能とテレビ受信機能を追加したものや、携帯可能なノートパソコンに電話機能とテレビ受信機能を追加したものに適用できる。
【図面の簡単な説明】
【００７９】
【図１】本発明の実施の一形態にかかる携帯端末装置の概略ブロック図である。
【図２】図１に示す携帯端末装置の電池残量を報知する処理の流れを示すフローチャートである。
【図３】従来の携帯端末装置の概略ブロック図である。
【符号の説明】
【００８０】
１０１  端末制御部（表示部制御手段、電池残量報知手段、駆動／停止制御手段）
１０２  電源制御部
１０３  電池
１０４  外部電源入力部
１０５  電池残量監視部（電池残量報知手段）
１０６  データ端末部
１０７  無線電話部
１０８  表示部（電池残量報知手段）
１０９  テレビ受信部
【図１】
2005079923.tif 000003
【図２】
2005079923.tif 000004
【図３】
2005079923.tif 000005